(57)【要約】【課題】高輝度光源として発熱体である発光素子を備えた複数の素子ホルダーを有する電子装置であっても、効果的に高輝度光源とした電子装置の冷却を行えるようにする。【解決手段】発熱体が取り付けられた第１及び第２の素子ホルダー２７１，２７２と、前記第１及び第２の素子ホルダーと夫々熱伝達可能に接続される第１及び第２の熱伝プレート２８１，２８２と、前記第１の熱伝プレート２８１と第２の熱伝プレート２８２とが隣接し、前記第２の熱伝プレートの方向に配置される第１の放熱用フィン２９１及び前記第１の放熱用フィンと隣接して配置される第２の放熱用フィン２９８と、前記第１の素子ホルダー２７１と前記第１の放熱用フィンとを熱伝達可能に接続する第１のヒートパイプ２８７と、前記第２の素子ホルダー２７２と前記第２の放熱用フィンとを熱伝達可能に接続する第２のヒートパイプ２８８と、を有する電子装置とする。【選択図】  図６
2018101029.tif 000002
【特許請求の範囲】
【請求項１】
発熱体が取り付けられた第１の素子ホルダー及び第２の素子ホルダーと、
前記第１の素子ホルダー及び前記第２の素子ホルダーと夫々接続される第１の熱伝プレート及び第２の熱伝プレートと、
前記第１の熱伝プレートと前記第２の熱伝プレートとが隣接し、前記第２の熱伝プレートの方向に配置される第１の放熱用フィンと、
前記第１の放熱用フィンと同一方向で前記第１の放熱用フィンと隣接して配置される第２の放熱用フィンと、
前記第１の素子ホルダーと前記第１の放熱用フィンとを熱伝達可能に接続する２本の第１のヒートパイプと、
前記第２の素子ホルダーと前記第２の放熱用フィンとを熱伝達可能に接続し、２本の前記第１のヒートパイプの間に配置される第２のヒートパイプと、
を有することを特徴とする電子装置。
【請求項２】
前記第１の放熱用フィンよりも前記第２の熱伝プレート側に設けられた追加放熱用フィンと、
前記第１の素子ホルダーよりも前記放熱用フィンと逆側に設けられた追加素子ホルダー及び追加熱伝プレートと、
前記第１のヒートパイプの外側に配置され、前記追加熱伝プレートと前記追加放熱用フィンとを接続する２本の追加ヒートパイプと、
を有する、
ことを特徴とする請求項１に記載した電子装置。
【請求項３】
前記第２のヒートパイプの本数は１本又は２本であり、前記第２の放熱用フィン以外の放熱用フィンに熱伝達を可能とするヒートパイプは、各前記放熱用フィン毎に２本の平行とされたヒートパイプとされる、ことを特徴とする請求項１又は請求項２の何れかに記載した電子装置。
【請求項４】
前記第２の放熱用フィンを除く前記放熱用フィンは、当該放熱用フィンの略中央に切欠き部又は貫通穴を有し、該切欠き部又は貫通穴に、当該放熱用フィンよりも前記素子ホルダーから離れた位置に配置される前記放熱用フィンに熱伝達を可能とするヒートパイプが収納貫通される、ことを特徴とする請求項１乃至請求項３の何れかに記載した電子装置。
【請求項５】
前記切欠き部を有する放熱用フィンには、テープ部材が設けられている、ことを特徴とする請求項４に記載した電子装置。
【請求項６】
前記熱伝プレートに熱伝達を可能とするヒートパイプは、当該ヒートパイプが固定された熱伝プレートよりも前記放熱用フィン側に位置する前記熱伝プレートの裏面と接触している、ことを特徴とする請求項１乃至請求項５の何れかに記載した電子装置。
【請求項７】
前記放熱用フィンは、前記ヒートパイプと直交する平板状のフィンプレートの複数枚により形成され、複数枚の各前記フィンプレートが各々前記ヒートパイプに固定されている、ことを特徴とする請求項１乃至請求項６の何れかに記載した電子装置。
【請求項８】
請求項１乃至請求項７の何れかに記載の電子装置と、
前記電子装置からの出射光が照射されて画像光を形成する表示素子と、
前記表示素子で形成された画像光をスクリーンに投影する投影光学系と、
前記表示素子や前記光源装置の制御を行うプロジェクタ制御手段と、
を備え、
前記発熱体は半導体発光素子を含むことを特徴とする投影装置。
【発明の詳細な説明】
【技術分野】
【０００１】
本発明は、電子装置及びこの電子装置を備える投影装置に関する。
【背景技術】
【０００２】
今日、パーソナルコンピュータの画面やビデオ画像、さらにメモリカード等に記憶されている画像データによる画像等をスクリーンに投影する投影装置としてのデータプロジェクタが多用されている。このようなプロジェクタにおいて、従来は高輝度の放電ランプを光源とするものが主流であったが、近年、光源装置の発光素子として発光ダイオード（ＬＥＤ）やレーザ発光素子、有機ＥＬ、あるいは、蛍光体等を用いる開発や提案が多々なされている。
【０００３】
また、本願出願人は、先の出願において、光源としてレーザ発光素子を用い、レーザ光を励起光として蛍光体を発光させることにより、レーザ光と蛍光光とを組み合わせて明るい画像形成用の光源光を形成し、高輝度の画像光を出射可能な投影装置を種々提案し（例えば特許文献１）、また、この高輝度の画像光を出射可能な投影装置を提供している。
【先行技術文献】
【特許文献】
【０００４】
【特許文献１】特開２０１２−１２３９６７号公報
【発明の開示】
【発明が解決しようとする課題】
【０００５】
レーザ発光素子等の半導体発光素子及び蛍光体発光板を用いた光源装置は、高輝度の三原色の形成が容易であり、明るい画像の投影を可能とする。しかし、高輝度の光源は発熱量が多く、小型であって且つ高い冷却放熱効果を有する光源装置とすることが困難であった。
【０００６】
また、投影装置の高輝度光源として複数の発光素子を用いる場合、複数の発光素子による発光面を基準面に合わせて各発光素子を配置する必要が有り、発光素子を保持する素子ホルダーの製造誤差等により、各素子ホルダーを密接させて配置したときに各素子ホルダーの裏面相互又は側面相互が同一平面を形成しないことがあった。
【０００７】
このため、素子ホルダーの裏面等を熱伝導板等と接触させて放熱を行うに際し、ヒートシンク等の放熱装置への熱伝達経路とする伝熱面に僅かな間隙を生じさせ、光源とする発熱体の冷却効果を低下させることがあった。
【０００８】
本発明は上述したような従来技術の問題点に鑑みてなされたものであり、光源等の発熱体の放熱を効果的に行うことのできる電子装置と、この電子装置を備える投影装置を提供するものである。
【課題を解決するための手段】
【０００９】
本発明に係る電子装置は、発熱体が取り付けられた第１の素子ホルダー及び第２の素子ホルダーと、前記第１の素子ホルダー及び前記第２の素子ホルダーと夫々接続される第１の熱伝プレート及び第２の熱伝プレートと、前記第１の熱伝プレートと前記第２の熱伝プレートとが隣接し、前記第２の熱伝プレートの方向に配置される第１の放熱用フィンと、前記第１の放熱用フィンと同一方向で前記第１の放熱用フィンと隣接して配置される第２の放熱用フィンと、前記第１の素子ホルダーと前記第１の放熱用フィンとを熱伝達可能に接続する２本の第１のヒートパイプと、前記第２の素子ホルダーと前記第２の放熱用フィンとを熱伝達可能に接続し、２本の前記第１のヒートパイプの間に配置される第２のヒートパイプと、を有することを特徴とする。
【００１０】
そして、本発明に係る投影装置は、上記本発明に係る電子装置と、前記電子装置からの出射光が照射されて画像光を形成する表示素子と、前記表示素子で形成された画像光をスクリーンに投影する投影光学系と、前記表示素子や前記光源装置の制御を行うプロジェクタ制御手段と、を備え、前記発熱体は半導体発光素子を含むことを特徴とする。
【発明の効果】
【００１１】
本発明によれば、複数個の素子ホルダーに保持された複数の発熱体である発光素子を用いた高輝度の光源であっても、その発熱体の放熱を効果的に行うことのできる電子装置と、この電子装置である高輝度光源を用いた明るい画像光を投影可能な投影装置を提供することができる。
【図面の簡単な説明】
【００１２】
【図１】本発明の実施の形態に係るプロジェクタの一例を示す外観斜視図である。
【図２】本発明の実施の形態に係るプロジェクタのコネクタカバーを外した状態を示す後方外観斜視図である。
【図３】本発明の実施の形態に係るプロジェクタの機能回路ブロック図である。
【図４】本発明の実施の形態に係るプロジェクタの内部構造模式図である。
【図５】本発明の実施の形態に係る光源装置の光源裏面側を示す斜視図である。
【図６】本発明の実施の形態に係る光源装置の発光面側を示す斜視図である。
【図７】本発明の実施の形態に係る光源装置の分解斜視図である。
【図８】本発明の実施の形態に係る光源装置に用いる冷却装置の接合面側を示す斜視図である。
【図９】本発明の実施の形態に係る光源装置に用いる冷却装置の接合面側を示す分解斜視図である。
【図１０】本発明の実施の形態に係る光源装置の第１の冷却用フィンを示す側面図である。
【発明を実施するための形態】
【００１３】
以下、本発明の実施形態を図に基づいて詳説する。図１は、投影装置であるプロジェクタ１００の外観斜視図である。なお、本実施形態において、プロジェクタ１００における左右とは投影方向に対しての左右方向を示し、前後とはプロジェクタ１００の投影方向の前後方向を示すものであり、図1における斜め右下方向を前方とする。
【００１４】
この投影装置は、図１及び図２に示すように、略直方体形状をしたプロジェクタ１００であって、下ケース１４０における底板１４１の上面に固定する各種機器や回路基板を上ケース１１０が覆うようにしている。
【００１５】
そして、プロジェクタ１００における筐体とする上ケース１１０の正面板１１３には、正面側吸気孔１６１を、右側板１１９には、右側板１１９の前方、中央、後方の部分に夫々前部排気孔１８１、中央排気孔１８３、後部排気孔１８５の各排気孔が形成される。
【００１６】
また、プロジェクタ筐体は、この上ケース１１０と下ケース１４０とによる筐体本体と、この筐体本体に着脱可能とされて筐体本体の左側板１１７を覆うコネクタカバー１５０とで形成される。
【００１７】
そして、この上ケース１１０の上面板１１１にはキー／インジケータ部２２３が設けられている。このキー／インジケータ部２２３には、電源スイッチキー、投影のオン、オフを切りかえる投影スイッチキーや、電源のオン又はオフを報知するパワーインジケータ、光源ユニットや表示素子又は制御回路等が過熱したときに報知をする過熱インジケータ等のキーやインジケータが配置されている。
【００１８】
更に、この上ケース１１０の上面板１１１には、本体の右側から本体左側のコネクタカバー１５０に至る前傾斜部１２２と後傾斜部１２３によるＶ字形状の切込み溝１２１が左右方向に延びるように形成されている。この後傾斜部１２３には、投影口１２５が形成され、投影口１２５から斜め前方に画像光を出射可能としている。
【００１９】
そして、コネクタカバー１５０は、図２に示したように、上ケース１１０の左側板１１７を覆うように、上面部１５１及びこの上面部１５１の周縁から下方に延設される側面部１５３を有し、図示されない下面部分及び右側面部分は開口部として、上ケース１１０における左側板１１７のコネクタボード２４５に接続する各種コネクタのコードを筐体の下方へ引き出し可能とするものである。
【００２０】
また、コネクタカバー１５０の内側に位置する左側板１１７に設けた入出力コネクタ部２１１とするコネクタボード２４５は、ＳＢ（シリアルバス）端子やアナログＲＧＢ映像信号が入力される映像信号入力用のＤ−ＳＵＢ端子、Ｓ端子、ＲＣＡ端子、音声出力端子、及び、電源アダプタやプラグ等の各種端子（群）が設けられ、左側板１１７の前方部分には側面前部吸気孔１６３が、左側板１１７の後方部分には側面後部吸気孔１６５が設けられている。
【００２１】
更に、上ケース１１０の背面板１１５にも背面側吸気孔１６７が設けられており、背面側吸気孔１６７の内、右端近傍部分は、スピーカの放音用の孔を兼ねる。
【００２２】
次に、プロジェクタ１００のプロジェクタ制御手段等について図３の機能ブロック図を用いて述べる。
【００２３】
プロジェクタ制御手段は、制御部２３１、入出力インターフェース２１２、画像変換部２１３、表示エンコーダ２１４、表示駆動部２１６等から構成される。
【００２４】
このプロジェクタ制御手段により、入出力コネクタ部２１１から入力された各種規格の画像信号は、入出力インターフェース２１２、システムバス（ＳＢ）を介して画像変換部２１３で表示に適した所定のフォーマットの画像信号に統一するように変換された後、表示エンコーダ２１４に出力される。
【００２５】
そして、制御部２３１は、プロジェクタ内の各回路の動作制御を司るものであって、演算装置としてのＣＰＵや各種セッティング等の動作プログラムを固定的に記憶したＲＯＭ及びワークメモリとして使用されるＲＡＭ等により構成されている。
【００２６】
また、表示エンコーダ２１４は、入力された画像信号をビデオＲＡＭ２１５に展開記憶させた上で、このビデオＲＡＭ２１５の記憶内容からビデオ信号を生成して表示駆動部２１６に出力する。
【００２７】
表示駆動部２１６は、表示素子制御手段として機能するものであり、表示エンコーダ２１４から出力された画像信号に対応して適宜フレームレートで空間的光変調素子（ＳＯＭ）である表示素子４２０を駆動するものである。
【００２８】
このプロジェクタ１００は、後に詳述するように、励起光照射装置３１０、蛍光発光装置３３１、赤色光源装置３５０、導光光学系３７０を有する主光源部と、ライトトンネル３８３等を有する光源側光学装置３８０とを含む光源ユニット２５０を備える。
【００２９】
また、このプロジェクタ１００は、光源ユニット２５０の主光源部から出射された光線束を光源側光学装置３８０を介して表示素子４２０に照射することにより、表示素子４２０の反射光で光像を形成し、後述する投影光学系を介して壁面などに画像を投影表示するものである。
【００３０】
そして、この投影光学系は可動レンズ群４１６を有し、可動レンズ群４１６は、レンズモータ２３９によりズーム調整やフォーカス調整のための駆動が行われるものである。
【００３１】
また、画像圧縮伸長部２２１は、再生時にメモリカード２２２に記録された画像データを読み出し、一連の動画を構成する個々の画像データを１フレーム単位で伸長し、この画像データを、画像変換部２１３を介して表示エンコーダ２１４に出力し、メモリカード２２２に記憶された画像データに基づいて動画等の表示を可能とする処理を行なう。
【００３２】
そして、筐体の上ケース１１０に設けられるキー／インジケータ部２２３からの操作信号は、直接に制御部２３１に送出される。また、リモートコントローラからのキー操作信号は、Ｉｒ受信部２２５で受信され、Ｉｒ処理部２２６で復調されたコード信号が制御部２３１に出力される。
【００３３】
なお、制御部２３１にはシステムバス（ＳＢ）を介して音声処理部２３５が接続されている。この音声処理部２３５は、ＰＣＭ音源等の音源回路を備えており、投影モード及び再生モード時には音声データをアナログ化し、スピーカ２３６を駆動して拡声放音させる。
【００３４】
また、制御部２３１は、光源制御手段としての光源制御回路２３２を制御している。この光源制御回路２３２は、画像生成時に要求される所定波長帯域の光源光が光源ユニット２５０の主光源部から出射されるように、後述する光源ユニット２５０の励起光照射装置（励起光源）３１０及び赤色光源装置３５０の発光を個別に制御すると共に、ホイール制御部２３４を介して蛍光発光装置３３１における蛍光体ホイール３３３の回転を制御する。
【００３５】
さらに、制御部２３１は、冷却ファン駆動制御回路２３３に光源ユニット２５０等に設けた複数の温度センサによる温度検出を行わせ、この温度検出の結果から冷却ファンの回転速度を制御させる。
【００３６】
また、制御部２３１は、冷却ファン駆動制御回路２３３にタイマー等によってプロジェクタ本体の電源オフ後も冷却ファンの回転を持続させる、あるいは、温度センサによる温度検出の結果によってはプロジェクタ本体の電源をオフにする等の制御も行う。
【００３７】
次に、このプロジェクタ１００の内部構造について述べる。図４は、プロジェクタ１００の内部構造模式図である。
【００３８】
この投影装置であるプロジェクタ１００は、図４に示すように励起光源を冷却する放熱フィンによる励起光源用ヒートシンク３２５や、赤色光源を冷却する放熱フィンによる赤色光源用ヒートシンク３６５、第１冷却ファン３２７、第２冷却ファン３６７をプロジェクタ１００内の右前方位置に備える。
【００３９】
この第２冷却ファン３６７は、左側板１１７の側面前部吸気孔１６３から外気を吸い込んで表示素子４２０と熱的に接続された放熱フィン４２３を冷却した空気と、正面板１１３の正面側吸気孔１６１から吸い込む外気と、を合わせて赤色光源用ヒートシンク３６５に吹き付け、赤色光源用ヒートシンク３６５を冷却する。
【００４０】
また、第１冷却ファン３２７は、正面側吸気孔１６１から吸い込む外気と第２冷却ファン３６７から吹き出されて赤色光源用ヒートシンク３６５を冷却した空気とを合わせて励起光源用ヒートシンク３２５に吹き付け、励起光源用ヒートシンク３２５を冷却した空気を右側板１１９の前部排気孔１８１からプロジェクタ１００の外部に排出させる。
【００４１】
尚、第１冷却ファン３２７や第２冷却ファン３６７が外気を吸い込む正面側吸気孔１６１の内側には、フィルタ４３５を設けている。
【００４２】
そして、励起光源用ヒートシンク３２５の後方側には、光源ユニット２５０に収納される励起光照射装置３１０が配置され、底板１４１の略中央には、蛍光発光装置３３１が配置され、更に、底板１４１の前方側の中央には、図４に示すように光源側光学装置３８０が配置され、光源側光学装置３８０の左側には、投影光学系ユニット４１０が配置されている。
【００４３】
この投影光学系ユニット４１０は、前方にＤＭＤと呼ばれるデジタルマイクロミラーデバイスを表示素子４２０として備える。そして、表示素子４２０の後方に配置されるレンズ鏡筒４１５には固定レンズ群及び可動レンズ群４１６による投影光学系のレンズ群が内蔵され、レンズ鏡筒４１５の後方には非球面ミラー４１７が配置されている。
【００４４】
そして、励起光照射装置３１０の後方には、スピーカ２３６が配置され、下ケース１４０の底板１４１の上面等に、ＣＰＵやメモリを搭載する主制御回路基板４４１や電源制御回路基板４４３の他、各種基板が配置される。
【００４５】
また、この投影装置であるプロジェクタ１００の光学系は、図４に示したように、プロジェクタ１００の略中央から右側に励起光照射装置３１０を設け、この励起光照射装置３１０は光源ユニット２５０の励起光源底板部２５５の上に配置され、複数個のレーザダイオードによる励起光源やコリメータレンズ３１３、集光レンズ３１５及び拡散板３１７を備える。
【００４６】
そして、励起光源としては、後述するように、複数の素子ホルダー３２１に各々複数個の半導体発光素子（発熱体）である青色レーザダイオードを配置している。この励起光照射装置３１０は、各青色レーザダイオードからのレーザ光をコリメータレンズ３１３により略平行な光線束に変換し、集光レンズ３１５に入射する。更に、集光レンズ３１５により集光した全てのレーザ光を拡散板３１７に入射し、拡散板３１７によりレーザ光のコヒーレント性を低くして蛍光発光装置３３１の蛍光体ホイール３３３などに入射するものである。
【００４７】
また主光源部は、励起光照射装置３１０の他に、ホイールモータ３４１及びホイールモータ３４１により回転する蛍光体ホイール３３３を備える蛍光発光装置３３１や、赤色光源装置３５０及び導光光学系３７０を含み、これらは、プロジェクタ１００の略中央に配置される。
【００４８】
そして蛍光体ホイール３３３は、円弧形状の拡散透過領域と円弧形状の蛍光体領域とを連続させて環状とするように同一円周上に有する。この拡散透過領域は、銅やアルミニウム等から成る金属基材による回転板基材に形成した切抜き透孔部に、硝子等の透光性を有する透明基材を嵌入するものである。
【００４９】
この透明基材は、その表面にサンドブラスト等による微細凹凸が形成されており、励起光照射装置３１０からの励起光を透過拡散させて青色波長帯域光として光源ユニット２５０から出射させることを可能とするものである。
【００５０】
また、蛍光体領域は、銅やアルミニウム等から成る金属基材による回転板基材の表面に環状の溝を形成し、この溝の底部を銀蒸着等によってミラー加工し、このミラー加工した表面に緑色蛍光体層を敷設して蛍光体領域を形成しているものであり、励起光が照射されると蛍光体ホイール３３３から緑色波長帯域光を励起光照射装置３１０側に出射する。
【００５１】
また、赤色光源装置３５０は、素子ホルダー３６１により、励起光照射装置３１０からの励起光の光軸と光軸が平行となるように配置された半導体発光素子である赤色発光ダイオードと、この赤色発光ダイオードからの出射光を集光する集光レンズ群３５３と、を備える単色発光装置である。
【００５２】
そして、導光光学系３７０は、ダイクロイックミラーや集光レンズ等により構成される。即ち、導光光学系３７０は、励起光照射装置３１０の拡散板３１７と蛍光体ホイール３３３との間に配置される第一ダイクロイックミラー３７１、第一ダイクロイックミラー３７１の前方であって赤色光源装置３５０の出射光光軸の位置に配置される第二ダイクロイックミラー３７３、蛍光体ホイール３３３の左側に配置される反射ミラー３７７、反射ミラー３７７の前方であって第二ダイクロイックミラー３７３の左側に配置される第三ダイクロイックミラー３７５と、各ダイクロイックミラーの間や反射ミラー３７７とダイクロイックミラーとの間に配置される各集光レンズ３７９と、で構成される。
【００５３】
この第一ダイクロイックミラー３７１は、青色波長帯域光を透過させ、緑色波長帯域光を反射するものである。従って、励起光照射装置３１０からの励起光を透過させて蛍光体ホイール３３３に照射可能とし、蛍光体ホイール３３３からの蛍光光をプロジェクタ１００の前方に反射する。
【００５４】
第二ダイクロイックミラー３７３は、赤色波長帯域光を透過させ、緑色波長帯域光を反射する。従って、第一ダイクロイックミラー３７１で反射されて集光レンズ３７９を介した緑色波長帯域光をプロジェクタ１００の左方向に反射し、この反射した緑色波長帯域光と光軸を合わせるようにして赤色光源装置３５０から出射された赤色波長帯域光を透過させる。
【００５５】
また、反射ミラー３７７は、励起光照射装置３１０からの励起光であって、蛍光体ホイール３３３の拡散透過領域を透過した青色波長帯域光をプロジェクタ１００の前方に反射するものである。
【００５６】
そして、第三ダイクロイックミラー３７５は、青色波長帯域光を透過させ、緑色波長帯域光及び赤色波長帯域光を反射する。従って、反射ミラー３７７からの青色波長帯域光を透過させ、第二ダイクロイックミラー３７３で透過及び反射した赤色波長帯域光及び緑色波長帯域光を反射し、青色波長帯域光、緑色波長帯域光、赤色波長帯域光の光軸を一致させて前方の光源側光学装置３８０に出射させる。
【００５７】
この光源側光学装置３８０は、光源光を均一化して投影光学系ユニット４１０の表示素子４２０に導くものであって、集光レンズ３８１、３８５やライトトンネル３８３、光軸変更ミラー３８７により構成される。
【００５８】
この光源側光学装置３８０は、主光源部３３０の第三ダイクロイックミラー３７５を介した光源光を、集光レンズ３８１により集光してライトトンネル３８３に入射させ、その光源光を均一化する。更に、均一化されてライトトンネル３８３から出射される光を集光レンズ３８５により集光して光軸変更ミラー３８７に照射させる。そして、光軸変更ミラー３８７で反射した光を、投影光学系ユニット４１０に入射させる。
【００５９】
この光軸変更ミラー３８７は、ライトトンネル３８３から出射される光の光軸を左方向に９０度変化させ、表示素子４２０や正面板１１３と平行として、斜め４５度上方に反射する。
【００６０】
このように、光軸変更ミラー３８７により進行方向を変更された光源光は、表示素子４２０の入射面と平行となるように進行し、表示素子４２０の前面直近に配置されるＴＩＲプリズム３８９に入射して、表示素子４２０の画像形成面に照射される。
【００６１】
そして、投影光学系ユニット４１０は、表示素子４２０の前面直近にＴＩＲプリズム３８９を有し、光軸変更ミラー３８７からの光がＴＩＲプリズム３８９に入射されると、この入射光を表示素子４２０に照射させる。そして、表示素子４２０により形成された画像光を、表示素子４２０よりもプロジェクタ１００の後方に位置するレンズ鏡筒４１５内の固定レンズ群や可動レンズ群４１６を介して、プロジェクタ１００の後方に位置する非球面ミラー４１７に照射させる。
【００６２】
また、非球面ミラー４１７により反射された画像光は、投影ユニットケースに取り付けられたカバーガラス４１９を介して投影光学系ユニット４１０から出射され、上ケース１１０の投影口１２５を透過してスクリーン等に投影される。
【００６３】
そして、励起光照射装置３１０における素子ホルダー３２１の外面には、複数本のヒートパイプ３２３が取り付けられ、このヒートパイプ３２３は、励起光照射装置３１０の横方向（プロジェクタ１００の前方方向）に伸び、励起光源用ヒートシンク３２５に接続されるものである。
【００６４】
また、赤色光源装置３５０の赤色光源を保持する素子ホルダー３６１の外面にもヒートパイプ３６３が取り付けられ、主光源部３３０の側方に設けられる赤色光源用ヒートシンク３６５と素子ホルダー３６１とがヒートパイプ３６３により接続される。
【００６５】
この励起光照射装置３１０の励起光源とされる青色レーザダイオードは、４個が２列とされた８個のレーザ発光素子が１つの長方形型のホルダーに嵌入固定され、図６に示されるように、レーザ発光素子毎に各々コリメータレンズ３１３を対応させた８個のコリメータレンズ３１３を備えるレンズアレイ２７７を有する第１の素子ホルダー２７１と第２の素子ホルダー２７２と（図７参照）が、ホルダーケース２７５に挿入固定されている。
【００６６】
そして、第１の素子ホルダー２７１の裏面には、図５に示すように矩形の厚板とされた第１の熱伝プレート２８１が、第２の素子ホルダー２７２の裏面にも同様の矩形厚板状の第２の熱伝プレート２８２が密着固定される。また、一端を第１の熱伝プレート２８１に取り付けた第１のヒートパイプ２８７の他端に第１の放熱用フィン２９１が取り付けられ、一端を第２の熱伝プレート２８２に取り付けた第２のヒートパイプ２８８の他端に第２の放熱用フィン２９８が取り付けられ、第１の放熱用フィン２９１及び第２の放熱用フィン２９８により励起光源用ヒートシンク３２５とするものである。
【００６７】
この第１の熱伝プレート２８１や第２の熱伝プレート２８２の各素子ホルダー２７１，２７２との接触面には、図８に示すように、リード溝２８３を設けて青色レーザダイオードのリード線を引出し可能とし、各熱伝プレート２８１，２８２の接触面を各素子ホルダー２７１，２７２の裏面と密着可能として第１の素子ホルダー２７１や第１の素子ホルダー２７２の裏面全面と密着させるようにしている。
【００６８】
また、各素子ホルダー２７１，２７２には、図７等に示したように、各素子ホルダー２７１，２７２の短辺と平行とする夫々２本の直線状のヒートパイプ２８７，２８８を略半円形のパイプ取付溝２８５に挿入して固定している。そして、第２の熱伝プレート２８２には、第２の熱伝プレート２８２に固定する２本のヒートパイプの外側にパイプ取付溝２８５よりも半径が大きく且つ深く形成する略半円形のパイプ溝２８４を形成している。
【００６９】
この様に、矩形の第１の素子ホルダー２７１の長辺と第２の素子ホルダー２７２の長辺とを近接させて配置し、第１の素子ホルダー２７１の裏面に密着させる第１の熱伝プレート２８１と第２の素子ホルダー２７２の裏面に密着させる第２の熱伝プレート２８２とを隣接させて配置している。
【００７０】
更に、長辺を近接させるように配置した第１の熱伝プレート２８１と第２の熱伝プレート２８２の第２の熱伝プレート２８２の方向に励起光源用ヒートシンク３２５とする第１の放熱用フィン２９１と第２の放熱用フィン２９８とを隣接させて配置しているものである。
【００７１】
そして、第２の放熱用フィン２９８よりもホルダーケース２７５に近い内側端に配置した第１の放熱用フィン２９１は、励起光源用ヒートシンク３２５から離れた外側端に配置された第１の熱伝プレート２８１と２本の第１のヒートパイプ２８７で接続し、ホルダーケース２７５から離れた外側端に配置した第２の放熱用フィン２９８はヒートシンクに近い内側端に配置された第２の熱伝プレート２８２と２本のヒートパイプで接続している。
【００７２】
更に、中央側に配置した２本の第２のヒートパイプ２８８の両外側に２本の第１のヒートパイプ２８７を配置するものとし、この外側に配置した２本の第１のヒートパイプ２８７は第２の熱伝プレート２８２のパイプ溝２８４に挿入するようにして、第１のヒートパイプ２８７を第２の熱伝プレート２８２の裏面と接触させることなく、４本のヒートパイプを同一平面上に並べるようにして配置している。
【００７３】
また、図８乃至図１０等に示すように、内側に配置した第１の放熱用フィン２９１には、当該第１の放熱用フィン２９１よりも外側に配置する第２の放熱用フィン２９８を取り付けた２本の第２のヒートパイプ２８８を通すための切欠き部２９５を設け、第１の放熱用フィン２９１の各フィンプレート２９２は切欠き部２９５の両側に幅の広い放熱部２９３を形成するものとし、幅を狭くした連結部２９４により両側の放熱部２９３を連結しつつ、各フィンプレート２９２の両側の各放熱部２９３を第１のヒートパイプ２８７に固定しているものである。
【００７４】
そして、第２の放熱用フィン２９８は、第１の放熱用フィン２９１のフィンプレート２９２とほぼ同一の外形を有する複数のフィンプレート２９９で形成し、切欠き部２９５や連結部２９４を備えることなく、各フィンプレート２９９の全体を放熱部２９３として第２のヒートパイプ２８８に取り付けるものである。
【００７５】
尚、第１の放熱用フィン２９１の各フィンプレート２９２及び第２の放熱用フィン２９８の各フィンプレート２９９は、その端縁部において放熱部２９３と直交する方向に折り曲げられて放熱部２９３から僅かに側方に突出する整流板２９６を有する。
【００７６】
この整流板２９６は、多数のフィンプレート２９２,２９９を第１及び第２のヒートパイプ２８７,２８８に対して直交させるように垂直に固定する際、各フィンプレート２９２,２９９の間隙を形成するスペーサーとして機能すると共に、各フィンプレート２９２,２９９の間隙を通過する冷却風を側方に漏らさないようにして放熱用フィン２９１,２９８の一側面から他側面に流し、第１及び第２の放熱用フィン２９１,２９８からの放熱を効率良く行わせるものである。
【００７７】
この様に、複数のレーザ発光素子を保持して多量の熱を発する第１及び第２の素子ホルダー２７１，２７２による高輝度光源を冷却するに際し、第１の素子ホルダー２７１の裏面に第１の熱伝プレート２８１を、第２の素子ホルダー２７２の裏面に第２の熱伝プレート２８２を密着させるように第１及び第２の素子ホルダー２７１，２７２の各ホルダー毎に熱伝プレートを用いるため、第１及び第２の素子ホルダーの裏面全体が完全な同一平面を形成しなくても、第１及び第２の素子ホルダー２７１，２７２と、各々対応する第１及び第２の熱伝プレート２８１，２８２との密着を確実とすることができる。
【００７８】
このため、発熱体である光源の熱を第１及び第２の熱伝プレート２８１，２８２に確実に伝達させ、第１及び第２のヒートパイプ２８７，２８８を介して励起光源用ヒートシンク３２５とした第１及び第２の放熱用フィン２９１，２９８から効果的に放熱させることができる。
【００７９】
そして、ホルダーケース２７５から離れて外側端に配置された第２の放熱用フィン２９８を固定する第２のヒートパイプ２８８を中央に、ホルダーケース２７５に近い第１の放熱用フィン２９１を固定する第１のヒートパイプ２８７を外側としている。このため、図１０に示すように、第１のヒートパイプ２８７に固定する第１の放熱用フィン２９１は、第１のヒートパイプ２８７を固定する連結部２９４の両端側において、各フィンプレート２９２の幅を連結部２９４の幅よりも広くして放熱部２９３としているので、放熱効果を高く維持することができる。また、第１の放熱用フィン２９１にはフィンプレート２９２の一部に切欠き部２９５を設けているので、第２の放熱用フィン２９８を固定する第２のヒートパイプ２８８を第１の放熱用フィン２９１の中央において貫通させることを容易とすることができる。
【００８０】
更に、ホルダーケース２７５に近い内側端に配置した第１の放熱用フィン２９１を固定する第１のヒートパイプ２８７を、ヒートシンク３２５から離れた外側端に配置した第１の熱伝プレート２８１に固定し、ホルダーケース２７５から離れた外側端に配置する第２の放熱用フィン２９８を固定する第２のヒートパイプ２８８を、ヒートシンク３２５に近い内側端に配置した第２の熱伝プレート２８２に固定している。このため、第１のヒートパイプ２８７の長さと第２のヒートパイプ２８８の長さとの差を小さくし、第１の熱伝プレート２８１や第２の熱伝プレート２８２からの第１及び第２のヒートパイプ２８７，２８８による熱伝達率の差を小さくし、第１の放熱用フィン２９１や第２の放熱用フィン２９８により第１及び第２の素子ホルダー２７１，２７２の均等な冷却を容易とすることができる。
【００８１】
また、第１の熱伝プレート２８１で受けた熱は第１のヒートパイプ２８７を介して第１の放熱用フィン２９１から発散させ、第２の熱伝プレート２８２で受けた熱を第２のヒートパイプ２８８を介して第２の放熱用フィン２９８から発散させるに際し、第１のヒートパイプ２８７及び第２のヒートパイプ２８８は直線状に各熱伝プレート２８１，２８２と各放熱用フィン２９１，２９８とを接続しているため、熱伝プレートで受けた熱を効率良く放熱用フィンに移動させることができる。
【００８２】
そして、第１の放熱用フィン２９１及び第２の放熱用フィン２９８の内、ホルダーケース２７５に近い内側の第１の放熱用フィン２９１にはフィンプレート２９２の一部に切欠き部２９５を設けているため、ホルダーケース２７５から離れた外側端に配置される第２の放熱用フィン２９８を固定するヒートパイプ２８６をこの切欠き部２９５に位置させることにより、第１の放熱用フィン２９１と第２の放熱用フィン２９８とを接近させて並べるように配置することができ、第１の素子ホルダー２７１と第１の素子ホルダー２７２の同一近傍位置に第１の放熱用フィン２９１と第２の放熱用フィン２９８とを配置した小型の励起光源用ヒートシンク３２５とすることができる。
【００８３】
このため、この光源用放熱装置としてのヒートシンクを光源と組み合わせる際、放熱装置を含む高輝度光源とされる光源装置を、小型とすることができる。
【００８４】
更に、内側端に配置する第１の放熱用フィン２９１は、そのフィンプレート２９２の中央近辺に切欠き部２９５を有して両端側を放熱部２９３としている。そして、この切欠き部２９５に位置させる第２のヒートパイプ２８８の両側に第１のヒートパイプ２８７を配置するようにして第１の放熱用フィン２９１におけるフィンプレート２９２の放熱部２９３に第１のヒートパイプ２８７を貫通させるようにして第１の放熱用フィン２９１を第１のヒートパイプ２８７に固定している。
【００８５】
このため、第１のヒートパイプ２８７により第１の熱伝プレート２８１から第１の放熱用フィン２９１に移動させた熱を第１の放熱用フィン２９１のフィンプレート２９２の両端に形成した放熱部２９３から効率良く発散させることができる。
【００８６】
また、内側端の第２の熱伝プレート２８２から第２のヒートパイプ２８８を介して外側端の第２の放熱用フィン２９８に移動させた熱も、２本の第２のヒートパイプ２８８の両側に伸びるフィンプレート２９９により効率良く発散させ、第１の放熱用フィン２９１及び第２の放熱用フィン２９８によりホルダーケース２７５に収納されるすべての青色レーザダイオードの熱を励起光源用ヒートシンク３２５とした放熱用フィン２９１，２９８により効果的に放熱させることができる。
【００８７】
そして、図には示さないが、第１の放熱用フィン２９１における切欠き部２９５の底部となる連結部２９４には、銅テープなどの熱伝導性テープを張り付けることもある。この様に連結部２９４において各フィンプレート２９２の間隙をテープ部材によって塞ぐことにより、送風ファン等によって放熱用フィン２９１に吹き付ける冷却風が放熱部２９３よりも抵抗が小さい連結部２９４を抜けて放熱用フィン２９１の冷却効率を低下させることを防止することができる。
【００８８】
更に、図に示したパイプ溝２８４は、パイプ取付溝２８５よりも径が大きな半円形として第１のヒートパイプ２８７が第２の熱伝プレート２８２の裏面を横切る際、第１のヒートパイプ２８７と第２の熱伝プレート２８２の裏面とが接触しないようにしているも、パイプ溝２８４にサーマルシート等の熱伝導部材を挿入し、第１のヒートパイプ２８７と第２の熱伝プレート２８２に設けたパイプ溝２８４の内面との間隙に熱伝導部材を充填して第１のヒートパイプ２８７と第２の熱伝プレート２８２を接触させることもある。熱伝導部材としては、熱伝導性に優れたシート等の部材であれば良く、貼り付けるため、柔軟で密着性に優れ、難燃性などの特長も備える材料が望ましい。具体的には、シリコーン、アクリル、ポリオフィレン等の樹脂や、セラミックフィラーや金属フィラーを配合した材料等がある。
【００８９】
この様に、熱伝プレートの裏面を横切るヒートパイプを当該熱伝プレートと熱的に接触させることにより、複数の熱伝プレートを相互に熱的にヒートパイプにより接続して複数の放熱用フィンにより冷却することもある。
【００９０】
従って、本来、熱的に独立して複数の素子ホルダー毎に冷却を行う複数の素子ホルダーと複数の放熱用フィンとの組み合わせであっても、ヒートパイプにより素子ホルダー２７１，２７２相互を熱的に接続して複数の素子ホルダーを複数の放熱用フィンにより冷却する冷却装置とし、ヒートパイプ自体、又は、ヒートパイプと熱伝プレートやヒートパイプと放熱用フィンとの接続など、熱伝達経路の一部に不具合が生じた場合でも、光源の放熱効果の低下を防ぐことができる。
【００９１】
また、前述の第１の放熱用フィン２９１は、図５や図１０等に示したように、フィンプレート２９２の中間位置に切欠き部２９５を設けてこの切欠き部２９５の位置に第２のヒートパイプ２８８を通すようにしているも、フィンプレート２９２の一辺に開口する切欠き部２９５を設けることに変え、フィンプレート２９２の略中央に貫通穴を設けて第２のヒートパイプ２８８を貫通させることもある。
【００９２】
更に、前述の実施の形態は、２個の素子ホルダー２７１，２７２により形成される光源装置であるも、３個の素子ホルダーにより複数の発光素子を保持する高輝度光源を効率良く冷却可能とする光源装置とすることもある。
【００９３】
この場合は、３個の各素子ホルダー（２７１，２７２等）の長辺を相互に近接させて発光面を密集させた光源としてホルダーケース２７５に各素子ホルダーを固定し、各素子ホルダーの短辺の延長方向にヒートシンクとする第１の放熱用フィンと第２の放熱用フィンと共に追加放熱用フィンを並べるようにして配置し、各素子ホルダーの裏面に各々熱伝プレートを設けるようにする。
【００９４】
即ち、第１の素子ホルダーの第２の素子ホルダーと逆側に配置され、ヒートシンクから最も離れて外側端に配置された素子ホルダーを追加素子ホルダーとし、この追加素子ホルダーの裏面に第１の熱伝プレートや第２の熱伝プレートと同様の追加熱伝プレートを密接させるようにして配置するものである。
【００９５】
そして、追加放熱用フィンは、第１の放熱用フィンよりも第１の熱伝プレート及び第２の熱伝プレートの側に配置し、追加熱伝プレートから追加放熱用フィンに熱伝達を行う追加ヒートパイプを設けるものである。
【００９６】
この実施形態においても、第１の熱伝プレートと第１の放熱用フィンとを第１のヒートパイプで接続し、第２の熱伝プレートと第２の放熱用フィンとを第２のヒートパイプで接続するものである。
【００９７】
そして、この場合も、ヒートシンクに最も近い第２の熱伝プレートに固定する第２のヒートパイプを中央とし、第２のヒートパイプの両外側に第１のヒートパイプを配置し、更に、第１のヒートパイプの両外側に追加ヒートパイプを配置するものである。
【００９８】
そして、第２の熱伝プレートの裏面には、第２のヒートパイプを固定するパイプ取付溝の両外側に、第１のヒートパイプを挿入するパイプ溝及び追加ヒートパイプを挿入するパイプ溝を、第１の熱伝プレートの裏面には、第１のヒートパイプを固定するパイプ取付溝の両外側に、追加ヒートパイプを挿入するパイプ溝を設け、且つ、ホルダーケース２７５から最も離れた外側端の第２の放熱用フィンを除き、第１の放熱用フィンには第２のヒートパイプを通す切欠き部又は貫通穴をフィンプレートの略中央に形成し、追加放熱用フィンには第１のヒートパイプ及び第２のヒートパイプを通す切欠き部又は貫通穴をフィンプレートの中央近辺に形成するものである。
【００９９】
そして、ヒートシンクに最も近い内側端に配置した第２の熱伝プレートの中央に取り付ける第２のヒートパイプは１本でも良く、第２のヒートパイプの両外側に第１のヒートパイプを、更にその両外側に追加ヒートパイプを配置するものである。
【０１００】
尚、第２のヒートパイプも、第１のヒートパイプや追加ヒートパイプと同様に２本とすることにより、第２の熱伝プレートから第２の放熱用フィンへの熱伝達を良好とすることができ、１本であれば全体のヒートパイプ本数を少なくして冷却装置を含む当該光源装置を小型とすることができると共にこの光源の冷却装置等の組み立てを容易とすることができる。
【０１０１】
この様に、ヒートシンクに最も遠い熱伝プレートである追加熱伝プレートとホルダーケースに最も近い放熱用フィンである追加放熱用フィンを接続するヒートパイプである追加ヒートパイプを外側に、ヒートシンクに最も近い熱伝プレートである第２の熱伝プレート２８２とホルダーケースに最も遠い放熱用フィンである第２の放熱用フィン２９８を接続するヒートパイプである第２のヒートパイプ２８８を中央に配置するように熱伝プレートと放熱用フィンとをヒートパイプにより接続するから、第２の放熱用フィン２９８を除く放熱用フィンにおけるフィンプレートの略中央に切欠き部を形成し、切欠き部の両側に放熱部を有するフィンプレートによる放熱用フィンとすることができ、各放熱用フィンの放熱効果を高くすることができる。
【０１０２】
そして、外側端に配置する第２の放熱用フィンを除いた放熱用フィンの中央に切欠き部等を設け、フィンプレートの両端を放熱部とすることにより、追加素子ホルダーにより、素子ホルダー即ち発光素子の数を容易に増加させ、発光素子数が多い高輝度光源を効率良く冷却することができる。
【０１０３】
また、各放熱用フィンを構成する複数枚のフィンプレートを各々ヒートパイプに対して直交させるように垂直としてヒートパイプに固定するため、放熱用フィンの構造を単純として高い放熱効果を得ることができる。
【０１０４】
尚、放熱用フィンのフィンプレートを直接にヒートパイプに直交させてヒートパイプに固定する場合のみでなく、放熱用フィンとして平板状の基板部に多数のフィンを立設し、基板部にヒートパイプを固定する放熱用フィンを用いたヒートシンクとすることもある。
【０１０５】
この様に、本実施の形態は、複数の素子ホルダーを有する高輝度光源の光源装置を小型としつつ、高い放熱効果により冷却することができるため、明るい画像を投影可能な投影装置であるプロジェクタ１００を小型化することが容易となる。
【０１０６】
また、上記実施の形態は、発熱体を含む電子装置である励起光源照射装置としての光源装置を説明したが、この光源装置は励起光源として用いる光源装置に限るものでなく、投影装置における複数の発熱体である発光素子を用いた高輝度光源装置を冷却するのに適したものである。更には、ＣＰＵ等、種々の発熱体を冷却する場合においても有効な電子装置とすることができるものである。
【０１０７】
そして、上記実施の形態においては、発熱体が取り付けられた第１の素子ホルダー２７１及び発熱体が取り付けられた第２の素子ホルダー２７２と夫々接続される第１の熱伝プレート２８１及び第２の熱伝プレート２８２を有するとした。そして、第１の熱伝プレート２８１と第２の熱伝プレート２８２とが隣接されているとした。更に、第１の熱伝プレート２８１が第１のヒートパイプ２８７を介して第１の放熱用フィン２９１と接続され、第２の熱伝プレート２８２が第２のヒートパイプ２８８を介して第２の放熱用フィン２９８と接続されるとした。
【０１０８】
しかし、第１の放熱用フィン２９１と第２の放熱用フィン２９８の位置は変えずに、第１の熱伝プレート２８１と第２の熱伝プレート２８２の位置が反対であっても良い。すなわち、一端側に位置する第１の素子ホルダー２７１が第２の熱伝プレート２８２に接続され、中央付近に位置する第２のヒートパイプ２８８を介して他端側に位置する第２の放熱用フィン２９８に接続される。そして、第２の素子ホルダー２７２が第１の熱伝プレート２８１に接続され、第２のヒートパイプ２８８の両端側に位置する第１のヒートパイプ２８７を介して、第２の放熱用フィン２９８より第１の熱伝プレート２８１側に位置する第１の放熱用フィン２９１に接続される構成であっても良い。このような構成にすることで、第２のヒートパイプ２８８の長さが第１のヒートパイプ２８７と比較して長くなり、冷却効率は多少低下するが、発光素子（発熱体）を備えた複数の素子ホルダーを有する光源であっても、効果的に発光素子（発熱体）の冷却を行えるようにするという効果は変わらない。この場合、製造を容易にする都合上、第１の放熱用フィン２９１の向きを１８０度回転させ、連結部２９４が反対側に位置するような配置とすることが望ましい。
【０１０９】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１１０】
以下に、本願出願の最初の特許請求の範囲に記載された発明を付記する。
[１]発熱体が取り付けられた第１の素子ホルダー及び第２の素子ホルダーと、
前記第１の素子ホルダー及び前記第２の素子ホルダーと夫々接続される第１の熱伝プレート及び第２の熱伝プレートと、
前記第１の熱伝プレートと前記第２の熱伝プレートとが隣接し、前記第２の熱伝プレートの方向に配置される第１の放熱用フィンと、
前記第１の放熱用フィンと同一方向で前記第１の放熱用フィンと隣接して配置される第２の放熱用フィンと、
前記第１の素子ホルダーと前記第１の放熱用フィンとを熱伝達可能に接続する２本の第１のヒートパイプと、
前記第２の素子ホルダーと前記第２の放熱用フィンとを熱伝達可能に接続し、２本の前記第１のヒートパイプの間に配置される第２のヒートパイプと、
を有することを特徴とする電子装置。
[２]前記第１の放熱用フィンよりも前記第２の熱伝プレート側に設けられた追加放熱用フィンと、
前記第１の素子ホルダーよりも前記放熱用フィンと逆側に設けられた追加素子ホルダー及び追加熱伝プレートと、
前記第１のヒートパイプの外側に配置され、前記追加熱伝プレートと前記追加放熱用フィンとを接続する２本の追加ヒートパイプと、
を有する、
ことを特徴とする前記[１]に記載した電子装置。
[３]前記第２のヒートパイプの本数は１本又は２本であり、前記第２の放熱用フィン以外の放熱用フィンに熱伝達を可能とするヒートパイプは、各前記放熱用フィン毎に２本の平行とされたヒートパイプとされる、ことを特徴とする前記[１]又は前記[２]に記載した電子装置。
[４]前記第２の放熱用フィンを除く前記放熱用フィンは、当該放熱用フィンの略中央に切欠き部又は貫通穴を有し、該切欠き部又は貫通穴に、当該放熱用フィンよりも前記素子ホルダーから離れた位置に配置される前記放熱用フィンに熱伝達を可能とするヒートパイプが収納貫通される、ことを特徴とする前記[１]乃至前記[３]の何れかに記載した電子装置。
[５]前記切欠き部を有する放熱用フィンには、テープ部材が設けられている、ことを特徴とする前記[４]に記載した電子装置。
[６]前記熱伝プレートに熱伝達を可能とするヒートパイプは、当該ヒートパイプが固定された熱伝プレートよりも前記放熱用フィン側に位置する前記熱伝プレートの裏面と接触している、ことを特徴とする前記[１]乃至前記[５]の何れかに記載した電子装置。
[７]前記放熱用フィンは、前記ヒートパイプと直交する平板状のフィンプレートの複数枚により形成され、複数枚の各前記フィンプレートが各々前記ヒートパイプに固定されている、ことを特徴とする前記[１]乃至前記[６]の何れかに記載した電子装置。
[８]請前記[１]乃至前記[７]の何れかに記載の電子装置と、
前記電子装置からの出射光が照射されて画像光を形成する表示素子と、
前記表示素子で形成された画像光をスクリーンに投影する投影光学系と、
前記表示素子や前記光源装置の制御を行うプロジェクタ制御手段と、
を備え、
前記発熱体は半導体発光素子を含むことを特徴とする投影装置。
【符号の説明】
【０１１１】
１００  プロジェクタ
１１０  上ケース
１１１  上面板                  １１３  正面板
１１５  背面板                  １１７  左側板
１１９  右側板
１２１  切込み溝                １２２  前傾斜部
１２３  後傾斜部                １２５  投影口
１４０  下ケース                １４１  底板
１５０  コネクタカバー
１５１  上面部                  １５３  側面部
１６１  正面側吸気孔            １６３  側面前部吸気孔
１６５  側面後部吸気孔          １６７  背面側吸気孔
１８１  前部排気孔              １８３  中央排気孔
１８５  後部排気孔
２１１  入出力コネクタ部
２１２  入出力インターフェース  ２１３  画像変換部
２１４  表示エンコーダ          ２１５  ビデオＲＡＭ
２１６  表示駆動部              ２２１  画像圧縮伸長部
２２２  メモリカード            ２２３  キー／インジケータ部
２２５  Ｉｒ受信部              ２２６  Ｉｒ処理部
２３１  制御部                  ２３２  光源制御回路
２３３  冷却ファン駆動制御回路  ２３４  ホイール制御部
２３５  音声処理部              ２３６  スピーカ
２３９  レンズモータ
２４５  コネクタボード
２５０  光源ユニット
２７１  第１の素子ホルダー      ２７２  第２の素子ホルダー
２７５  ホルダーケース          ２７７  レンズアレイ
２８１  第１の熱伝プレート      ２８２  第２の熱伝プレート
２８３  リード溝                ２８４  パイプ溝
２８５  パイプ取付溝
２８７  第１のヒートパイプ      ２８８  第２のヒートパイプ
２９１  第１の放熱用フィン      ２９２  フィンプレート
２９３  放熱部                  ２９４  連結部
２９５  切欠き部                ２９６  整流板
２９８  第２の放熱用フィン      ２９９  フィンプレート
３１０  励起光照射装置
３１３  コリメータレンズ        ３１５  集光レンズ
３１７  拡散板                  ３２１  素子ホルダー
３２３  ヒートパイプ            ３２５  励起光源用ヒートシンク
３２７  第１冷却ファン
３３１  蛍光発光装置            ３３３  蛍光体ホイール
３４１  ホイールモータ          ３４５  ホイールカバー
３５０  赤色光源装置            ３５３  集光レンズ群
３６１  素子ホルダー            ３６３  ヒートパイプ
３６５  赤色光源用ヒートシンク  ３６７  第２冷却ファン
３７０  導光光学系
３７１  第一ダイクロイックミラー
３７３  第二ダイクロイックミラー
３７５  第三ダイクロイックミラー
３７７  反射ミラー              ３７９  集光レンズ
３８０  光源側光学装置
３８１  集光レンズ              ３８３  ライトトンネル
３８５  集光レンズ              ３８７  光軸変更ミラー
３８８  照射ミラー              ３８９  ＴＩＲプリズム
３９１  ブロア型送風機          ３９５  排気口
４１０  投影光学系ユニット
４１１  投影ユニットケース      ４１２  ケース前方部
４１４  ケース後方部            ４１５  レンズ鏡筒
４１６  可動レンズ群            ４１７  非球面ミラー
４１９  カバーガラス
４２０  表示素子
４２３  放熱フィン
４３５  フィルタ
４４１  主制御回路基板          ４４３  電源制御回路基板
【図１】
2018101029.tif 000003
【図２】
2018101029.tif 000004
【図３】
2018101029.tif 000005
【図４】
2018101029.tif 000006
【図５】
2018101029.tif 000007
【図６】
2018101029.tif 000008
【図７】
2018101029.tif 000009
【図８】
2018101029.tif 000010
【図９】
2018101029.tif 000011
【図１０】
2018101029.tif 000012